【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
発光素子を有する表示装置に表示される画素データを補正する画像処理装置であって、
前記発光素子の動作電流に対応した第１の情報を記憶する第１の記憶部と、
前記第１の情報に基づいて、前記画素データを補正する画素データ補正部と、を含むことを特徴とする画像処理装置。
【請求項２】
前記動作電流に対応した第２の情報を生成する補正情報生成部を含み、
前記第２の情報は前記第１の情報を用いて生成され、第２の記憶部に記憶されることを特徴とする請求項1に記載の画像処理装置。
【請求項３】
前記第２の情報は、
前記表示装置の１画面内における前記動作電流の最小動作電流を基準とした差分情報に基づいて生成されることを特徴とする請求項２に記載の画像処理装置。
【請求項４】
前記画素データの補正範囲に対応した制御データが設定される条件設定レジスターと、
前記制御データに基づいて、前記画素データの補正可否を判別する処理を行う画素データ解析部と、を含み、
前記画素データ補正部において、
前記画素データ解析部の処理結果に基づいて、前記画素データの補正処理のイネーブル制御が行われることを特徴とする請求項１乃至３のいずれか１項に記載の画像処理装置。
【請求項５】
更に、動作電流値取込部を含み、
前記動作電流取込部は、前記表示装置に電源電圧を供給する電源線に挿入された抵抗回路に流れる電流に基づいて前記第１の情報を取得することを特徴とする請求項１乃至４のいずれか１項に記載の画像処理装置。
【請求項６】
複数のロウ信号線と、
前記複数のロウ信号線と交差して設けられる複数のカラム信号線と、
前記複数のロウ信号線のいずれかと前記複数のカラム信号線のいずれかとにより特定され駆動電流に応じた輝度で発光する発光素子とを有する表示パネルと、
前記複数のロウ信号線を駆動するロウドライバーと、
前記複数のカラム信号線を駆動するカラムドライバーと、を有する表示装置と、
前記ロウドライバー及び前記カラムドライバーに表示タイミング制御信号を出力すると共に、前記カラムドライバーに前記画素データを出力する画像処理装置と、を含み、
前記画像処理装置は、前記発光素子の動作電流に対応した第１の情報を記憶する第１の記憶部と、前記第１の情報に基づいて、前記画素データを補正する画素データ補正部と、を含むことを特徴とする表示システム。
【請求項７】
前記表示装置に電源電圧を供給する電源線に挿入された抵抗回路に流れる電流に基づいて、前記第１の情報を取り込むことを特徴とする請求項６に記載の表示システム。
【請求項８】
発光素子を有する表示装置に表示される画素データを補正する電子機器であって、
前記発光素子の動作電流に対応した第１の情報を記憶する第１の記憶部と、
前記第１の情報に基づいて、前記画素データを補正する画素データ補正部と、を含む画像処理装置を有することを特徴とする電子機器。
【請求項９】
前記表示装置に電源電圧を供給する電源線に挿入された抵抗回路に流れる電流に基づいて、前記第１の情報を取り込むことを特徴とする請求項８に記載の電子機器。
【請求項１０】
発光素子を有する表示装置に表示される画素データを補正する画像処理方法であって、
前記発光素子の動作電流に対応した第１の情報を記憶する情報記憶ステップと、
前記第１の情報に基づいて、前記画素データを補正する画素データ補正ステップと、を含むことを特徴とする画像処理方法。
【請求項１１】
前記画素データ補正ステップは、前記動作電流に対応した第２の情報を生成する補正情報生成ステップを含み、
前記第２の情報は、前記第１の情報を用い、前記表示装置の１画面内における前記動作電流の最小動作電流を基準とした差分情報に基づいて生成されることを特徴とする請求項１０に記載の画像処理方法。
【請求項１２】
前記画素データ補正ステップは、更に、条件設定ステップと、画素データ解析ステップと、を含み、
前記条件設定ステップにおいて、前記画素データの補正範囲に対応した制限データの設定が行われ、
前記画素データ解析ステップにおいて、前記制限データに基づいて前記画素データの補正を行うか否かの第１の判定が行われ、
前記画素データ補正ステップにおいて、前記第１の判定の結果に基づいて、前記画素データの補正処理のイネーブル制御が行われることを特徴とする請求項１０又は１１に記載の画像処理方法。
【手続補正２】
【補正対象書類名】明細書
【補正対象項目名】０００８
【補正方法】変更
【補正の内容】
【０００８】
本発明にかかるひとつの画像処理装置は、発光素子を有する表示装置に表示される画素データを補正する画像処理装置であって、前記発光素子の動作電流に対応した第１の情報を記憶する第１の記憶部と、前記第１の情報に基づいて、前記画素データを補正する画素データ補正部と、を含むことを特徴とする。
上記のひとつの画像処理装置は、前記動作電流に対応した第２の情報を生成する補正情報生成部を含み、前記第２の情報は前記第１の情報を用いて生成され、第２の記憶部に記憶されることが好ましい。
上記のひとつの画像処理装置において、前記第２の情報は、前記表示装置の１画面内における前記動作電流の最小動作電流を基準とした差分情報に基づいて生成されることが好ましい。
上記のひとつの画像処理装置は、前記画素データの補正範囲に対応した制御データが設定される条件設定レジスターと、前記制御データに基づいて、前記画素データの補正可否を判別する処理を行う画素データ解析部と、を含み、前記画素データ補正部において、前記画素データ解析部の処理結果に基づいて、前記画素データの補正処理のイネーブル制御が行われることが好ましい。
上記のひとつの画像処理装置は、更に、動作電流値取込部を含み、前記動作電流取込部は、前記表示装置に電源電圧を供給する電源線に挿入された抵抗回路に流れる電流に基づいて前記第１の情報を取得することが好ましい。
本発明にかかるひとつの表示システムは、複数のロウ信号線と、前記複数のロウ信号線と交差して設けられる複数のカラム信号線と、前記複数のロウ信号線のいずれかと前記複数のカラム信号線のいずれかとにより特定され駆動電流に応じた輝度で発光する発光素子とを有する表示パネルと、前記複数のロウ信号線を駆動するロウドライバーと、前記複数のカラム信号線を駆動するカラムドライバーと、を有する表示装置と、前記ロウドライバー及び前記カラムドライバーに表示タイミング制御信号を出力すると共に、前記カラムドライバーに前記画素データを出力する画像処理装置と、を含み、前記画像処理装置は、前記発光素子の動作電流に対応した第１の情報を記憶する第１の記憶部と、前記第１の情報に基づいて、前記画素データを補正する画素データ補正部と、を含むことを特徴とする。
上記のひとつの表示システムにおいて、前記表示装置に電源電圧を供給する電源線に挿入された抵抗回路に流れる電流に基づいて、前記第１の情報を取り込むことが好ましい。
本発明にかかるひとつの電子機器は、発光素子を有する表示装置に表示される画素データを補正する電子機器であって、前記発光素子の動作電流に対応した第１の情報を記憶する第１の記憶部と、前記第１の情報に基づいて、前記画素データを補正する画素データ補正部と、を含む画像処理装置を有することを特徴とする。
上記のひとつの電子機器において、前記表示装置に電源電圧を供給する電源線に挿入された抵抗回路に流れる電流に基づいて、前記第１の情報を取り込むことが好ましい。
本発明にかかるひとつの画像処理方法は、発光素子を有する表示装置に表示される画素データを補正する画像処理方法であって、前記発光素子の動作電流に対応した第１の情報を記憶する情報記憶ステップと、前記第１の情報に基づいて、前記画素データを補正する画素データ補正ステップと、を含むことを特徴とする。
上記のひとつの画像処理方法において、前記画素データ補正ステップは、前記動作電流に対応した第２の情報を生成する補正情報生成ステップを含み、前記第２の情報は、前記第１の情報を用い、前記表示装置の１画面内における前記動作電流の最小動作電流を基準とした差分情報に基づいて生成されることが好ましい。
上記のひとつの画像処理方法において、前記画素データ補正ステップは、更に、条件設定ステップと、画素データ解析ステップと、を含み、前記条件設定ステップにおいて、前記画素データの補正範囲に対応した制限データの設定が行われ、前記画素データ解析ステップにおいて、前記制限データに基づいて前記画素データの補正を行うか否かの第１の判定が行われ、前記画素データ補正ステップにおいて、前記第１の判定の結果に基づいて、前記画素データの補正処理のイネーブル制御が行われることが好ましい。
（１）本発明の一態様は、発光素子を有する表示装置の表示画像を構成する画素に対応した画素データを補正する画像処理装置が、前記表示装置の１又は複数の画素単位で、前記１又は複数の画素が有する発光素子の動作電流に対応した情報を記憶する情報記憶部と、前記情報記憶部に記憶された前記動作電流に対応した情報に基づいて、画素データを補正する画素データ補正部とを含む。